(57)【要約】  【課題】  机１における前後対の脚支柱４，４間の空間を利用して、当該脚支柱４，４間の剛性を高めるものでありながら、扁平な書物等物品の出し入れが容易なマガジンラック１５を設ける。  【解決手段】  机天板２を支持する左右一対の脚体３，３をそれぞれ前後一対の脚支柱４，４にて構成し、少なくとも前記一方の脚体における一対の脚支柱４，４間に、少なくともその外側面側に開放するかもしくは内外両側面に開放するマガジンラック１５を備える。このマガジンラック１５は、一対の脚支柱４，４間に連結して書物等の背の高い扁平な物品１６を支持する底支持部材２０と、その底支持部材２０より適宜上方位置にて前記一対の脚支柱間に連結して物品１６の表裏を支持可能にするための一対の中途支持部材２１，２２とから構成されている。  【選択図】図２
2006000564.tif 000002
【特許請求の範囲】
【請求項１】
机天板を支持する左右一対の脚体をそれぞれ前後一対の脚支柱にて構成し、少なくとも前記一方の脚体における一対の脚支柱間に、少なくともその外側面側に開放するかもしくは内外両側面に開放するマガジンラックを備えたことを特徴とする机。
【請求項２】
前記マガジンラックは、前記一対の脚支柱間に連結して書物等の物品を支持する底支持部材と、その底支持部材より適宜上方位置にて前記一対の脚支柱間に連結して書物等の物品の表裏を支持可能にするための一対の中途支持部材とから構成されていることを特徴とする請求項１に記載の机。
【請求項３】
前記マガジンラックにおける部材の外縁が、平面視における前記机天板の投影面積内に位置していることを特徴とする請求項２に記載の机。
【発明の詳細な説明】
【技術分野】
【０００１】
本発明は、机の構造に係り、より詳しくは、机天板を支持する前後一対の脚支柱間に雑誌等の物品を立て掛けて支持できるマガジンラックの構成に関するものである。
【背景技術】
【０００２】
従来から机天板を支持する脚体として、例えば、特許文献１及び２に示すように、少なくとも一側面（横面）が開放された箱状のものが知られている。そして、この箱状の脚体内に書物等の物品を収納することができ、且つ机の外側面側から、前記物品を簡単に取り出せるようにしたものがあった。
【特許文献１】特開平８−３６６号公報（図５参照）
【特許文献２】特開２００４−１６４５０号公報（図１参照）
【発明の開示】
【発明が解決しようとする課題】
【０００３】
しかしながら、箱状の脚体とするときは、当該脚体の幅寸法（机の間口方向に沿う寸法）が大きくなるため、机天板の下方の人の脚が入り得る空間が狭められ、椅子に座ったまま人の脚を横方向に向きを変えることが困難になる。また、机の左右両外側にのみ開放されている箱状の脚体では、このような机を左右に連ねて配置したときは、机の左右両側方からの物品の収納・取り出し作業ができなくなるという問題があった。
【０００４】
本発明はこのような従来の技術の欠点に鑑みなされたものであって、机の間口方向に沿う寸法が比較的小さい前後一対の脚支柱の間の空間を利用して、マガジンラックを形成し、そのマガジンラックに対する物品の収納・取り出し作業が容易にできるようにした机を提供することを目的とする。
【課題を解決するための手段】
【０００５】
前記目的を達成するため、請求項１に記載の発明の机は、机天板を支持する左右一対の脚体をそれぞれ前後一対の脚支柱にて構成し、少なくとも前記一方の脚体における一対の脚支柱間に、少なくともその外側面側に開放するかもしくは内外両側面に開放するマガジンラックを備えたものである。
【０００６】
請求項２に記載の発明は、請求項１に記載の机において、前記マガジンラックは、前記一対の脚支柱間に連結して書物等の物品を支持する底支持部材と、その底支持部材より適宜上方位置にて前記一対の脚支柱間に連結して書物等の物品の表裏を支持可能にするための一対の中途支持部材とから構成されているものである。
【０００７】
請求項３に記載の発明は、請求項２に記載の机において、前記マガジンラックにおける部材の外縁が、平面視における前記机天板の投影面積内に位置しているものである。
【発明の効果】
【０００８】
請求項１に記載の発明によれば、机の間口方向に沿う寸法が比較的小さい前後一対の脚支柱の間の空間を利用して、マガジンラックを形成することができ、机天板の下方での人の脚の向きが比較的簡単に変えられるものでありながら、少なくとも机の外側面側からの書物の出し入れが簡単にできるという効果を奏する。
【０００９】
請求項２に記載の発明によれば、マガジンラックは、前記前後一対の脚支柱間に連結して書物等の物品を支持する底支持部材と、その底支持部材より適宜上方位置にて前記一対の脚支柱間に連結して書物等の物品の表裏を支持可能にするための一対の中途支持部材とから構成されているものであるから、マガジンラックの構造が比較的簡単であると共に、底支持部材及びその上方の一対の中途支持部材により前後対の脚支柱を連結することで、脚体の剛性を高めて机天板の支持構造を強固にする機能も兼ね備えることができるという効果を奏する。
【００１０】
請求項３に記載の発明によれば、前記マガジンラックにおける部材の外縁が、平面視における前記机天板の投影面積内に位置しているものであるから、複数の机を左右に連設した場合、隣接する机天板の側縁同士を隙間なく当接させて配置しても、マガジンラックが互いに干渉することがない。また、マガジンラックを内外両側面に開放するように構成しておけば、机天板の下方であって、左右一対の脚体の間の空間から簡単に物品を出し入れすることができるという効果も奏する。
【発明を実施するための最良の形態】
【００１１】
次に、図１〜図８に記載の実施形態に基づいて説明する。図１は本発明を適用した木製の机１の斜視図であって、木製の平面視矩形状の机天板２は、左右一対の脚体３，３により支持されている。各脚体３は断面矩形状の木製の前後一対の脚支柱４，４からなる。各脚支柱４の上端は断面Ｌ字状の横枠８に連設され、図６に示すように、抽斗６を前後移動可能に支持ための引き出し枠体７と、机天板２の下面とに対して、前記横枠８及びボルト９、１０と相手部材に埋設された鬼目ナット１１、１２等を介して強固に連結されている。
【００１２】
なお、各ボルト９、１０の頭部が部材から突出した箇所では、その頭部を合成樹脂製のキャップ１３で覆っても良い。
【００１３】
また、机天板２の上面には、従来から公知の構成の本立て５が載置され、図示しない固定金具にて机天板２に固定可能となっている。さらに、机１の後面には、後位置の脚支柱４，４の間に後幕板１４が取付けられている。
【００１４】
マガジンラック１５の第１実施形態は、図１〜図５に示すように、左右の脚体３における前後一対の脚支柱４，４の間の空間を利用して設けられるものである。そして、マガジンラック１５は、書物（雑誌）等の扁平な（厚さ寸法に比較して高さ寸法の大きい形状）物品１６の下端を支持する底支持部材２０と、この物品１６の表裏面を支持可能とする一対の中途支持部材２１，２２とからなる。底支持部材２０の上面外側縁には突条２０ａが一体的に形成され、物品１６が傾いて載置されているときに脱落しないように構成されている。
【００１５】
内側の中途支持部材２１は底支持部材２０の上面から机天板２の下面まで延びる平板であり、外側の中途支持部材２２は高さ寸法の短い横長の板状である。そして、底支持部材２０及び一対の中途支持部材２１，２２の奥行き寸法（机１の奥行き方向の寸法）は、前後対の脚支柱４，４の内面間の寸法に等しく設定され、隣接する相手部材、例えば、中途支持部材２１の上端面と横枠８との当接部、中途支持部材２１の下端面と底支持部材２０の上面との当接部、中途支持部材２１，２２の前後端面と脚支柱４，４の内面との当接部には丸軸状のダボ孔を予め穿設しておく。隣接する２部材間を繋ぐためのダボ軸２３を片側の部材のダボ孔に打ち込んだ後、相手部材のダボ孔にダボ軸２３の他端部を嵌合させるというようにしてユーザが机１を組み立てる際に、各部材を順次連結するのである（図５参照）。
【００１６】
第１実施形態のように、中途支持部材２１が底支持部材２０の上面から机天板２の下面まで延びているように形成されていると、マガジンラック１５としては、机１の左右の外側からのみ、物品１６の出し入れが可能となる。反面、マガジンラック１５の中途支持部材２１の高さ寸法が大きいため、マガジンラック１５を備えた脚体３の剛性が大きくなり、大きい外力が机１に作用しても、机天板２に対して前後対の脚支柱４，４が傾くなどの不都合がなくなる。
【００１７】
なお、背の高い中途支持部材２１には、図４及び図６に示すように、ハンガー用の横軸２４の両端を取付け金具２５、ボルト１０等を介して固定し、この横軸２４にＳ字状のハンガー２６を介して物品２７を吊懸することができる。
【００１８】
上記の構成のマガジンラック１５によれば、机１の左右外側から扁平な形状の雑誌等の物品１６を一対の中途支持部材２１，２２の間に差し入れると、当該物品１６の下面は底支持部材２０に支持され、その物品１６が厚さ方向に傾いても、一対の中途支持部材２１，２２のいずれかに物品１６の表面または裏面が支持され、しかも、底支持部材２０の上面の突条２０ａに物品１６の下端縁が当接するので、マガジンラック１５から物品１６は脱落しない。
【００１９】
図７（ａ）はマガジンラック１５の第２実施形態を示し、その一対の中途支持部材３０，３１は底支持部材３２の上側に適宜隔てられた位置に固定されている。内側の中途支持部材３０は背の低い板状である外側の中途支持部材３１は丸棒状である。これに代えて、内外共丸棒状の中途支持部材で構成しても良い。また、底支持部材３２の上面の内外に脱落防止用の突条３２ａが一体的に形成されている。
【００２０】
図７（ｂ）はマガジンラック１５の第３実施形態を示す。一対の中途支持部材３３、３４のうち、内側の中途支持部材３３は脚支柱４，４の横幅内に配置されるが、外側の中途支持部材３４は脚支柱４，４の横幅から若干はみ出す。しかし、外側の中途支持部材３４の外縁は平面視で机天板２の投影面積内に納まる。換言すると、机天板２の側縁から垂線を下ろした場合に、その垂線よりも内側に外側の中途支持部材３４の外縁があるようにしておく。また、その底支持部材３の突条３５ａも第１実施形態または第２実施形態と同様の形態であって良い。
【００２１】
第２、第３実施形態によれば、一対の中途支持部材３０，３１、３３，３４の上方は机１の内外両方に開放されているので、複数の机２を左右に連設しても、下方のマガジンラック１５に対して左右一対の脚体３、３の間から物品の出し入れが可能となる。
【００２２】
図８は、前記各実施形態における中途支持部材２２，３０，３１，３３，３４や底支持部材２０，３２，３５と脚支柱４、４との連結の他の実施形態を示し、これらの中途支持部材の脚支柱４、４に対する取付け高さ位置を変更できるようにしたものである。そのために、脚支柱４の高さ位置で複数の箇所に所定のまたは適宜の間隔にて取付け孔（横孔）３６を設け、支持すべき物品１６の高さ寸法に応じて、前記各中途支持部材や底支持部材はその取付け位置を変更すべく固定用のボルト３７にて固定することができる。なお、その場合、前記各中途支持部材や底支持部材の端面に鬼目ナット１１を埋め込んでおく。また、ボルト３７の頭はキャップ１３にて覆うことができる。
【図面の簡単な説明】
【００２３】
【図１】第１実施形態の机の斜視図である。
【図２】図１のII−II線矢視断面図である。
【図３】図１の III−III 線矢視断面図である。
【図４】机の左側面図である。
【図５】マガジンラックにおける支持部材の取付け部を示す一部切欠き側面図である。
【図６】机天板と脚体等の取付け部を示す要部拡大断面図である。
【図７】（ａ）は第２実施形態の断面図、（ｂ）は第３実施形態の断面図である。
【図８】マガジンラックにおける支持部材の他の取付け部を示す断面図である。
【符号の説明】
【００２４】
１    机
２    机天板
３    脚体
４、４  脚支柱
１５    マガジンラック
１６    物品
２０、３２、３５  底支持部材
２１、２２、３０、３１、３３、３４    中途支持部材
２３    ダボ軸
９、１０、３７    ボルト
【図１】
2006000564.tif 000003
【図２】
2006000564.tif 000004
【図３】
2006000564.tif 000005
【図４】
2006000564.tif 000006
【図５】
2006000564.tif 000007
【図６】
2006000564.tif 000008
【図７】
2006000564.tif 000009
【図８】
2006000564.tif 000010